(57)【要約】【課題】老人や、指や手に身体的なハンディのある人でも、手指で触れることによって、回す対象及びその方向を感覚的に把握することができる形状、構造を持ち、かつ開けるのも閉めるのも容易に行なうことができるようにする。また、店頭での陳列等において、スペースを余分に取らない、ねじ蓋付き容器を提供する。【解決手段】容器部と、容器部の開口にねじ込みによって取り付けられる蓋部とから成るねじ蓋付き容器であって、蓋部１１として、ほぼ２等辺三角形状に形成した平面形状を有しており、上記２等辺三角形の重心に相当する位置よりも底辺の方向に偏心した位置に、蓋部１１のねじ込み口１２の回転中心を設定した構成を有し、上記回転中心から２等辺三角形の頂点までの長さに起因して、蓋体１１を優先的に回転させるモーメントが得られるようにする【選択図】          図２
0003130033.tif 000002
【実用新案登録請求の範囲】
【請求項１】
容器部と、容器部の開口にねじ込みによって取り付けられる蓋部とから成るねじ蓋付き容器であって、
蓋部として、ほぼ２等辺三角形状に形成した平面形状を有しており、上記２等辺三角形の頂点から底辺に下した垂線における中間点に相当する位置よりも底辺の方向に寄った位置に、蓋部のねじ込み口の回転中心を設定した構成を有し、
上記回転中心から２等辺三角形の頂点までの長さに起因して、蓋体を回転させるモーメントが得られるようにした
ことを特徴とする開けやすいねじ蓋付き容器。
【請求項２】
容器部の開口と、蓋部のねじ込み口とをねじ結合するねじは、１条ねじから成る請求項１記載の開けやすいねじ蓋付き容器。
【請求項３】
容器部は、ほぼ２等辺三角形状に形成した平面形状を有している蓋部とほぼ相似形又は同一の平面形状を有している請求項１記載の開けやすいねじ蓋付き容器。
【考案の詳細な説明】
【技術分野】
【０００１】
本考案は、容器部と、容器部の開口にねじ込みによって取り付けられる蓋部とから成る開けやすいねじ蓋付き容器に関するものである。
【背景技術】
【０００２】
ねじって開け閉めする形式の蓋を有するねじ蓋付き容器は、開け閉めを確実に行なうことができるので、様々な面で有効な容器である。しかし、老人を始めとして、指や手に身体的なハンディのある人にとって、力を込めてねじ蓋を回す動作を行うことは、困難を伴う場合がある。また、視力の弱い人の場合には、蓋が、回して開け閉めする構造であるのか、或いは、単に嵌め付けてあるだけの構造の蓋であるのかを見極めることも容易とはいえず、どのように開けるのか戸惑うことがある。
【０００３】
既に出願されている文献の中で、登録実用新案第３００７７４５号は、蓋の外周に小さい翼状の引っ掛かり部分を１８０度間隔で設け、非力な者にも開けやすい形状にした考案を開示している。この考案の場合、手指に引っ掛かる部分を有するので、何の滑り止めもない蓋に比較すれば開けやすくなっているということができるが、引っ掛かる部分が小さいため、効果にも限界がある。また、視力の衰えた高齢者にとっては、蓋に手を触れたときに、左右両側に引っ掛かる部分があるため左右とも均等に力が入ることになり、開ける操作の助けにはなりにくいと考えられる。
【０００４】
また、特開２００２−１５４５６１号は、ねじの開閉角を小さくし、密閉蓋を容器本体に対して簡便に取り付け、取り外しできるようにする蓋付き容器の発明を開示している。この蓋付き容器の場合、ねじが数個のねじの条線から成るいわゆる多条ねじによって構成されているので、蓋を開け閉めするために回す角度は確かに小さくなるが、ねじ入れる際の条線相互の噛み込み位置が分かりにくく、うまくねじ入れることができないという問題がある。
【０００５】
【特許文献１】登録実用新案第３００７７４５号
【特許文献２】特開２００２−１５４５６１号
【考案の開示】
【考案が解決しようとする課題】
【０００６】
本考案は前記の点に着目してなされたものであり、その課題は、老人や、指や手に身体的なハンディのある人でも、手指で触れることによって、回す対象を感覚的に把握することができる形状、構造を持ち、かつ、容器部に対して蓋部が常に一定の位置に配置され、開けやすいねじ蓋付き容器を提供することにある。また、本考案の他の課題は、店頭での陳列等において、スペースを余分に取らない、ねじ蓋付き容器を提供することである。
【課題を解決するための手段】
【０００７】
前記の課題を解決するため、本考案は、容器部と、容器部の開口にねじ込みによって取り付けられる蓋部とから成るねじ蓋付き容器について、蓋部として、ほぼ２等辺三角形状に形成した平面形状を有しており、上記２等辺三角形の頂点から底辺に下した垂線における中間点に相当する位置よりも底辺の方向に寄った位置に、蓋部のねじ込み口の回転中心を設定した構成を有するものとし、上記回転中心から２等辺三角形の頂点方向の長さに起因して、蓋体を回転させるモーメントが得られるようにするという手段を講じているものである（請求項１記載の考案）。
【０００８】
本考案が、容器部とその開口にねじ込みによって取り付けられる蓋部とから成るねじ蓋付き容器において、開閉を容易にするものであることは、既に説明したとおりであるが、ねじ蓋付き容器の問題は、開けるときの困難性は力を入れにくいこと、締めるときの困難性はうまくねじ入れることができないこと、というように、異なる原因によって生じるということである。
【０００９】
本考案では、蓋部として、ほぼ２等辺三角形状に形成した平面形状を有しており、上記２等辺三角形の頂点から底辺に下した垂線における中間点に相当する位置よりも底辺の方向に寄った位置に、蓋部のねじ込み口の回転中心を設定するという構成を有し、まず、手指で触れ、または握ったときに、回す対象を感覚的に把握することができる形状、構造を与えている。この２等辺三角形状という平面形状は、開ける方向にも閉める方向にも同じように作用可能であるので、開閉の一方だけではなく、両方を容易に行なうことにも寄与する。また、このことから、本考案における容器の蓋は、手で握れる程度の大きさが上限になるといえる。
【００１０】
２等辺三角形は、頂点が鋭角の三角形であることも必要な要素である。鋭角２等辺三角形である場合に、その三角形の頂点から底辺に下した垂線における中間点に相当する位置よりも底辺の方向に寄った位置に、蓋部のねじ込み口の回転中心を片寄らせることになるからである。このような鋭角２等辺三角形の頂点から底辺に下した垂線における蓋部のねじ込み口の回転中心の位置について検討したところ、底辺から回転中心までの長さ：回転中心から頂点方向の長さの比として４：５〜１：２の範囲にあることが望ましいとの結果を得た（図７参照）。これは、作成した本考案のねじ蓋つき容器を複数人により実際に操作することを繰り返して得た評価に基づく結論である。鋭角２等辺三角状によって、１方向を向いた突起形状を有する蓋体を得ることができ、前記の利点を生じるものである。
【００１１】
鋭角２等辺三角形と、底辺側に寄った回転中心によって、上記回転中心から２等辺三角形の頂点方向の長さに起因して、蓋体を回転させるモーメントが容易に得られるようになる。つまり、鋭角２等辺三角形という形状と、底辺側への回転中心の片寄りによって、自動的に鋭角の頂点方向にモーメントアームが伸びることになり、頂点方向へ伸びたモーメントアーム以外に回転につながる手懸かりがないので、鋭角２等辺三角形という形状によって蓋体の回転が誘導される結果になるものである。
【００１２】
本考案では、容器部の開口と、蓋部のねじ込み口とをねじ結合するねじは、１条ねじから成ることが望まれる（請求項２記載の考案）。１条ねじであることにより、ねじ込み時の噛み込み位置が一義的に決められるので、ねじ込みを失敗しにくいものとすることができ、また、蓋部を容器部にねじ込みに寄って取り付けると、常に、蓋部の頂点方向が容器部の頂点方向に一致するようになる。従って、鋭角２等辺三角形と１条ねじを組み合わせることにより、開閉の容易性をより完全なものに近付けることができる。
【００１３】
また、本考案において、容器部は、ほぼ２等辺三角形状に形成した平面形状を有している蓋部とほぼ相似形又は同一の平面形状を有しているものとすることができる（請求項３記載の考案）。容器部が蓋部と相似形であることは望ましいことであり、これによって、店頭での陳列等において、スペースを余分に取らない配列方法を実施することができる。また、容器部が蓋部とほぼ相似形又は同一の平面形状を有していれば、ねじ込ませるときにねじの噛み合う位置を合わせることも容易になる。
【００１４】
このような構成を有する本考案の容器部と、容器部の開口にねじ込みによって取り付けられる蓋部とから成るねじ蓋付き容器については、鋭角２等辺三角形の各頂点を十分な大きさのアールに整形するとともに、各稜線も同様に整形し、全体として丸みを帯びた形状とすることが望ましい。
【考案の効果】
【００１５】
本考案は以上のように構成されかつ作用されており、老人や、指や手に身体的なハンディのある人でも、２等辺三角形状を有し、かつその頂点から底辺に下した垂線における中間点に相当する位置よりも底辺の方向に寄った位置に、ねじ込み口の回転中心を設定した蓋部に手指で触れることによって、蓋部を回転させるモーメントを感覚的に把握することができるものであり、かつ、容器部に対して蓋部が常に一定の位置に配置されるから、開けるのも閉めるのも容易に行なうことができる。また、鋭角２等辺三角形という形状に基づいて長いモーメントアームが得られるので、開閉に必要な操作力が軽くて済み、手指で回せなくても、こぶしやひじで２等辺三角形の側部を押し回すことができれば、蓋を開けることもできる。また、本考案によれば、２等辺三角形という平面形状を有することにより、店頭での陳列等において、スペースを余分に取らない、ねじ蓋付き容器を提供することという効果を奏する。
【考案を実施するための最良の形態】
【００１６】
以下、図示の実施形態を参照して本考案をより詳細に説明する。各図は、本考案に係る開けやすいねじ蓋付き容器１０の一例に関するもので、図１、図２に蓋部１１、図４、図５及び図６に容器部１６、図３にそれらを組み合わせたねじ蓋付き容器１０が示されている。
【００１７】
蓋部１１は、鋭角２等辺三角形状をもとにして形成した、柔らかな曲線的平面形状を有しており、上記鋭角２等辺三角形の頂点から底辺に下した垂線における中間点１３に相当する位置よりも底辺の方向に寄った位置に、蓋部１１のねじ込み口１２の回転中心１４を設定するという構成を有している。図示の蓋部１１は、鋭角２等辺三角形の各頂点を十分な大きさのアールに整形するとともに、各稜線も同様に整形し、全体として丸みを帯びた形状に設けられているものである。
【００１８】
図１、図２に示した蓋部１１の元になった鋭角２等辺三角形状は、図７に実線で示し、符号１５を付けたものである。この鋭角２等辺三角形１５を元にした、例１の蓋部１１の頂点から底辺に下した垂線における中間点１３は、図７に示した位置にある。これに対して底辺から回転中心１４までの長さ：回転中心１４から頂点方向の長さの比は２：３の設定であり、中間点１３から底辺の方向へ寄っている。なお、１３′は元になった鋭角２等辺三角形状の頂点から底辺に下した垂線における中間点を示す。このように、例１の蓋部１１は２等辺三角形の頂点から底辺に下した垂線における中間点１３に相当する位置よりも底辺の方向に寄った位置に、ねじ込み口１２の回転中心１４を設定した構成を有することになる。
【００１９】
容器部１６は、蓋部１１と相似形で、やや大型の鋭角２等辺三角形状をもとにして形成したもので、柔らかな曲線的平面形状を有していることも蓋部１１と同じである。容器部１６の開口１７も、また、上記鋭角２等辺三角形の頂点から底辺に下した垂線における中間点に相当する位置よりも底辺の方向に寄った位置に設定されている。容器部１６の元になった鋭角２等辺三角形状も、図７に実線で示し、かつ符号１５を付けたものと同じであるから、開口１７の中心１８は蓋部１１のねじ込み口１２の回転中心１４と一致する。
【００２０】
上記の開口１７に蓋部１１をねじ込む手段として、容器部の開口１７と、蓋部のねじ込み口１２とをねじ結合するねじ１９、２０は、１条ねじから成る。図３はその１条ねじから成るおねじ１９とめねじ２０の螺合状態を示している。図５から明瞭に理解されるように、１条ねじはただ１箇所のねじ込み口を有するだけなので、うまくねじ入れることができないという問題を起こさずに済む。そして、蓋部１１を容器部１６にねじ込んで取り付けた状態では、一定の位置に重なってずれることはないので、ずれ防止の点でも１条ねじは有効である。なお、２１はプラスチックによって製造される容器底部の耐変形構造を示す。
【００２１】
本考案のねじ蓋つき容器１０では、手で蓋部１１を掴んだときに、回転中心から鋭角２等辺三角形の鋭角の頂点方向の長さに起因して、蓋体を優先的に回転させるモーメントが容易に得られるので、頂点方向に伸びた部分を、左右どちらかの方向へ回す力が自然に働くことになる。このことは、ねじ込み口１２と開口１７の頂点側に大きいスペースＳを生じ、底辺側には殆ど生じないことからも理解される。従って、その方向がねじ込み方向であれば、手に抵抗として作用するので重く感じ、逆にねじ戻し方向であれば、抵抗感を感じることなく回すことができるので、自然に蓋部１１を開けることができるようになる。蓋部１１を閉めるときには、容器部１６の開口１７と蓋部１１のねじ込み口１２とをねじ結合するねじ１９、２０が１条ねじからなるので、開口１７とねじ込み口１２を合わせて回せば、自然に螺合状態になる。
【００２２】
また、本考案のねじ蓋つき容器１０は、鋭角２等辺三角形からなるので、包装時や陳列時に、先端では鋭角の頂点部が互いに重なるように並べることができ、重なり分だけスペースをセーブし得るとともに、他端の底辺はもっとも小さい寸法であるので、全体として場所を取らずに済むという利点がある。図８参照。よって、本考案のねじ蓋つき容器１０を収納する包装箱２２も小さくて済む。
【産業上の利用可能性】
【００２３】
本考案に係る開けやすいねじ蓋つき容器は、医薬品やサプリメントなどの詰め替え容器として使用可能であり、また、ボトル入り商品全般の容器そのものとしても利用することができる。
【図面の簡単な説明】
【００２４】
【図１】本考案に係る開けやすいねじ蓋つき容器の蓋部の例を示す縦断面図。
【図２】同上の下面図。
【図３】同じく蓋部と容器部を組み合わせた状態を示す断面図。
【図４】本考案における容器部の上面図。
【図５】図４のものの側面図
【図６】同じく下面図。
【図７】２等辺三角形と本考案のねじ蓋つき容器の関係を示す説明図。
【図８】本考案の容器を並べた状態を示す説明図。
【符号の説明】
【００２５】
１０  ねじ蓋つき容器
１１  蓋部
１２  ねじ込み口
１３  頂点から底辺に下した垂線における中間点
１４  回転中心
１５  鋭角２等辺三角形
１６  容器部
１７  開口
１８  開口の中心
１９  おねじ
２０  めねじ
２１  耐変形構造
２２  包装箱
【図１】
0003130033.tif 000003
【図２】
0003130033.tif 000004
【図３】
0003130033.tif 000005
【図４】
0003130033.tif 000006
【図５】
0003130033.tif 000007
【図６】
0003130033.tif 000008
【図７】
0003130033.tif 000009
【図８】
0003130033.tif 000010